【事件の表示】
　上記当事者間の登録第１８６１５１６号商標の登録取消審判事件について、次のとおり審決する。
【結　論】
　本件審判の請求は、成り立たない。
　審判費用は、請求人の負担とする。
【理　由】
第１　本件商標 
　本件登録第１８６１５１６号商標（以下「本件商標」という。）は、「ＡＬＢＥＬＯＢＥＬＯ」の欧文字と「アルベロベロ」の片仮名文字を二段に併記してなり、昭和５９年３月５日に登録出願、第１７類「被服、布製身回品、寝具類」を指定商品として、昭和６１年５月３０日に設定登録、その後、２回にわたり、商標権存続期間の更新登録がされ、さらに、平成１８年１０月１１日に、第２５類「被服」を指定商品とする書換登録がされているものである。 
　　 
第２　請求人の主張の要点 
　請求人は、本件商標の登録を取消す、審判費用は、被請求人の負担とする、との審決を求めると主張し、その理由を要旨次のように述べている。 
　本件商標は、請求人が調査した限りにおいては、書換登録後の指定商品「被服」について、商標権者によって、継続して３年以上使用されていない。
　また、商標登録原簿によれば、専用使用権及び通常使用権は、設定されておらず、未登録の通常使用権者が継続して３年以上使用している事実も見当たらない。 
　してみれば、本件商標は、指定商品「被服」について、継続して３年以上、日本国内において、商標権者、専用使用権者又は通常使用権者のいずれも使用した事実がないから、商標法第５０条第１項の規定により取り消されるべきである。 
　　 
第３　被請求人の答弁 
　被請求人は、結論同旨の審決を求めると答弁し、その理由を要旨次のように述べ、証拠方法として、乙第１号証ないし乙第３５号証（枝番を含む。）及び検乙第１号証ないし検乙第１２号証を提出している。 
１　被請求人は、従来より、「アルベロベロ商標」を付した製品は、全て、アルベロベロブランド（販売区分）として、製造販売してきたが、平成１７年初頭以降、前記製品の「新作」の展開を、当面休止することとした。 
２　その後は、主として、商品在庫の販売を今日に至るまで継続している。
３　「アルベロベロ商標」製品の新作の発表は休止したが、特に市場からの需要が大きなものについては、「アルベロベロ商標」製品の定番商品として、その後の追加生産販売を行っており、それには、「アルベロベロ商標」が付されている。 
４　被請求人の営業管理の都合上、この「アルベロベロ商標」製品は、独立した製品管理とはせず、他ブランドの販売区分の中に含めて管理するようになったため、平成１７年初頭以降は、追加生産販売されたものは、他ブランドの生産額及び販売額に含まれることとなったものである。 
５　従来の在庫製品の継続販売の事実を、以下のとおり、明らかにする。 
（１）被請求人の第３１期（平成１７年９月から平成１８年８月）の損益計算書に記載された売上高（乙第１号証）。 
（２）被請求人の「業績月報《３１期合計　１２ヵ月》」（乙第２号証）中のブランド別商品明細に記載された「アルベロベロ」ブランドの営業売上高と直営店売上高の合計額。 
（３）被請求人の「ブランド別得意先別売上順位表〈累計〉」（乙第３号証）に記載された「アルベロベロ商標」製品の上記期間の売上高。 
（４）被請求人の「商品別売上実績表〈トータル〉」（乙第４号証）に記載された「アルベロベロ商標」製品の上記期間の売上高。 
６　「アルベロベロ商標」を付した製品の現物について、その一部を証拠品として提出（検乙第１号証ないし検乙第１２号証）し、併せて、書証として、これらの各証拠品を撮影したものを提出する。 
（１）「アルベロベロ商標」を付したワンピース（商品番号　Ｂ２３９４１８３）（乙第５号証の１〜３、検乙第１号証に対応）。 
（２）「アルベロベロ商標」を付したワンピース（商品番号　Ｂ０１９４１１１）（乙第６号証の１〜３、検乙第２号証に対応）。 
（３）「アルベロベロ商標」を付したワンピース（商品番号　Ｂ２４９４８３６）（乙第７号証の１〜３、検乙第３号証に対応）。 
（４）「アルベロベロ商標」を付したパンツ付きワンピース（商品番号　Ｂ３４９４４０５）（乙第８号証の１〜４、検乙第４号証に対応）。 
（５）「アルベロベロ商標」を付したボレロ（商品番号　Ｂ４３９２１３６）（乙第９号証の１〜４、検乙第５号証に対応）。 
（６）「アルベロベロ商標」を付したワンピース（商品番号　Ｂ２３９４４４９）（乙第１０号証の１〜３、検乙第６号証に対応）。 
（７）「アルベロベロ商標」を付したケープ（商品番号　Ｂ３４１２９３１）（乙第１１号証の１〜４、検乙第７号証に対応）。 
（８）「アルベロベロ商標」を付したランニング（商品番号　Ｂ３２３４４０１）（乙第１２号証の１〜４、検乙第８号証に対応）。 
（９）「アルベロベロ商標」を付したパンツ（商品番号　Ｂ３４４２４９０）（乙第１３号証の１〜６、検乙第９号証に対応）。 
（10）「アルベロベロ商標」を付したジャンパースカート（商品番号　Ｂ１１５４１０４）（乙第１４号証の１〜５、検乙第１０号証に対応）。 
（11）「アルベロベロ商標」を付したソックス（商品番号　Ｂ３３６２１０９）（乙第１５号証の１〜３、検乙第１１号証に対応）。 
（12）「アルベロベロ商標」を付したシューズ（商品番号　Ｂ８１６２３２７）（乙第１６号証の１〜３、検乙第１２号証に対応）。 
７　「アルベロベロ商標」を付した製品のうちの一部の売上伝票を提出する。 
（１）被請求人に係る、「アルベロベロ商標」を付した商品の売り上げに係る売上伝票の調査等の報告書（乙第１７号証）。 
（２）「アルベロベロ商標」を付したワンピース（商品番号　Ｂ２３９４１８３）に係る２００５年９月２８日の売上伝票写し（乙第１８号証）。 
（３）「アルベロベロ商標」を付したワンピース（商品番号　Ｂ０１９４１１１）に係る２００６年６月２１日の売上伝票写し（乙第１９号証）。 
（４）「アルベロベロ商標」を付したワンピース（商品番号　Ｂ０１９４１１１）に係る２００６年８月４日の売上伝票写し（乙第２０号証）。 
（５）「アルベロベロ商標」を付したワンピース（商品番号　Ｂ０１９４１１１）に係る２００６年２月２８日の売上伝票写し（乙第２１号証）。 
（６）「アルベロベロ商標」を付したワンピース（商品番号　Ｂ２４９４８３６）に係る２００６年２月２２日の売上伝票写し（乙第２２号証）。 
（７）「アルベロベロ商標」を付したパンツ付きワンピース（商品番号　Ｂ３４９４４０５）に係る２００６年１月２３日の売上伝票写し（乙第２３号証）。 
（８）「アルベロベロ商標」を付したボレロ（商品番号　Ｂ４３９２１３６）に係る２００６年２月２２日の売上伝票写し（乙第２４号証）。 
（９）「アルベロベロ商標」を付したワンピース（商品番号　Ｂ２３９４４４９）に係る２００５年９月２７日の売上伝票写し（乙第２５号証）。 
（10）「アルベロベロ商標」を付したワンピース（商品番号　Ｂ２３９４４４９）に係る２００５年１１月４日の売上伝票写し（乙第２６号証）。 
（11）「アルベロベロ商標」を付したケープ（商品番号　Ｂ３４１２９３１）に係る２００５年１０月１４日の売上伝票写し（乙第２７号証）。 
（12）「アルベロベロ商標」を付したケープ（商品番号　Ｂ３４１２９３１）に係る２００５年１２月２８日の売上伝票写し（乙第２８号証）。 
（13）「アルベロベロ商標」を付したケープ（商品番号　Ｂ３４１２９３１）に係る２００５年１２月３１日の売上伝票写し（乙第２９号証）。 
（14）「アルベロベロ商標」を付したケープ（商品番号　Ｂ３４１２９３１）に係る２００６年１月２５日の売上伝票写し（乙第３０号証）。 
（15）「アルベロベロ商標」を付したランニング（商品番号　Ｂ３２３４４０１）に係る２００６年４月１８日の売上伝票写し（乙第３１号証）。 
（16）「アルベロベロ商標」を付したソックス（商品番号　Ｂ３３６２１０９）に係る２００６年１１月３日の売上伝票写し（乙第３２号証）。 
（17）「アルベロベロ商標」を付したソックス（商品番号　Ｂ３３６２１０９）に係る２００６年２月２８日の売上伝票写し（乙第３３号証）。 
（18）「アルベロベロ商標」を付したソックス（商品番号　Ｂ３３６２１０９）を返品処理した２００６年５月１９日の売上伝票写し（乙第３４号証）。
（19）「アルベロベロ商標」を付したソックス（商品番号　Ｂ３３６２１０９）に係る２００６年４月３０日の売上伝票写し（乙第３５号証）。　 
８　以上のとおり、本件商標は、本件審判請求の登録前３年以内に、被請求人（商標権者）によって使用されているものであるから、本件審判の請求は成り立たない。 
　　 
第４　当審の判断 
１　被請求人の提出に係る証拠等によれば、以下の事実が認められる。 
（１）乙第１８号証は、被請求人が取引先に宛てた売上伝票写しであり、年月日の欄に「２００５．９．２８」、ブランド名の欄に「アルベロベロ」、商品コードの欄に「Ｂ２３−９４１８３」、品名の欄に「ワンピース」、サイズの欄に「９０」、上代単価の欄に「２２，０００」の各記載がある。 
　そして、乙第５号証の１ないし３及び検乙第１号証を併せ見ると、商品「ワンピース」の「織ネーム」には「ＡＬＢＥＬＯＢＥＬＯ」及び「９０」の表示があり、「下げ札」には「Ｂ２３−９４１８３」及び「本体　￥２２，０００」の表示がある。 
（２）乙第１９号証は、被請求人が取引先に宛てた売上伝票写しであり、年月日の欄に「２００６．６．２１」、ブランド名の欄に「アルベロベロ」、商品コードの欄に「Ｂ０１−９４１１１」、品名の欄に「ワンピース」、サイズの欄に「１００」、上代単価の欄に「２８，０００」の各記載がある。
　そして、乙第６号証の１ないし３及び検乙第２号証を併せ見ると、商品「ワンピース」の「織ネーム」には「ＡＬＢＥＬＯＢＥＬＯ」及び「１００」の表示があり、「下げ札」には「Ｂ０１−９４１１１」及び「本体　￥２８，０００」の表示がある。 
（３）乙第３０号証は、被請求人が取引先に宛てた売上伝票写しであり、年月日の欄に「２００６．１．２５」、ブランド名の欄に「アルベロベロ」、商品コードの欄に「Ｂ３４−１２９３１」、品名の欄に「ケープ」、サイズの欄に「１１０」、上代単価の欄に「３９，０００」の各記載がある。 
　そして、乙第１１号証の１ないし４及び検乙第７号証を併せ見ると、商品「ケープ」の「織ネーム」には「ＡＬＢＥＬＯＢＥＬＯ」及び「１１０」の表示があり、「下げ札」には「Ｂ３４−１２９３１」及び「本体　￥３９，０００」の表示がある。 
（４）乙第３２ないし第３５号証は、被請求人が取引先に宛てた売上伝票写しであり、年月日の欄にはそれぞれ「２００６．１１．３」「２００６．２．２８」「２００６．５．１９」「２００６．４．３０」の各記載があり、また、ブランド名の欄に「アルベロベロ」、商品コードの欄に「Ｂ３３−６２１０９」、品名の欄に「ソックス」、サイズの欄に「１１」、上代単価の欄に「３，９００」の各記載がある。 
　そして、乙第１５号証の１ないし３及び検乙第１１号証を併せ見ると、商品「ソックス」の「織ネーム」には「ＡＬＢＥＬＯＢＥＬＯ」の表示、ソックス本体に「サイズ　１１〜１２」の表示があり、「下げ札」には「Ｂ３３−６２１０９」及び「本体　￥３，９００」の表示がある。 
２　以上の認定事実を総合すれば、本件商標権者（被請求人）は、「アルベロベロ」及び「ＡＬＢＥＬＯＢＥＬＯ」の文字からなる商標を指定商品中に含まれる商品「ワンピース」、「ケープ」及び「ソックス」に付して、前記商品を販売していたものとみるのが自然であり、その時期は平成１７（２００５）年９月から同１８（２００６）年６月頃と認められる。そして、上記「アルベロベロ」及び「ＡＬＢＥＬＯＢＥＬＯ」の商標は、本件商標と社会通念上同一といい得るものである。 
　そうすると、商標権者は、本件審判請求の登録日である平成１８年１２月８日前３年の期間内に、日本国内において、本件商標と社会通念上同一の商標をその指定商品について使用していたものというべきである。 
３　請求人は、上記第３の答弁に対し、何ら弁駁するところがない。 
４　したがって、本件商標の登録は、商標法第５０条の規定により、取り消すことはできない。 
　よって、結論のとおり審決する。